(57)【要約】【課題】定着ローラの交換性の向上を上げることを目的とする。【解決手段】定着ローラの内部に配置される定着装置を片側から電気的に配線して、配線側を側版に回転可能に定着ローラを保持し、固定側とは反対側の定着装置を保持する部材を取り外すことにより、定着ローラを着脱可能とした。【選択図】      図１
2005055504.tif 000002
【特許請求の範囲】
【請求項１】
ローラ内部に加熱装置を配した定着ローラと前記定着ローラに対向する加圧ローラのローラ対を有し、前記ローラ対で未定着トナーを有した用紙を加圧、加熱するように挟持し、前記未定着トナーを前記用紙に定着させる定着装置を有する画像形成装置において、前記ローラ内部に配置された加熱装置が前後側板の一方に固定され、他方を支持部材を介して前記前後側板の他方に固定されていることを特徴とする画像形成装置における定着装置。
【請求項２】
請求項１の定着装置において、
前記定着ローラが前記加熱装置に回転可能に保持されていることを特徴とする画像形成装置における定着装置。
【請求項３】
請求項１〜２の定着装置において、
前記支持部材を前記側板から取り外すことにより、前記定着ローラが前記加熱装置に沿って着脱が可能なことを特徴とする画像形成装置の定着装置。
【請求項４】
請求項１〜３の定着装置において、
前記加熱装置が前記前後側板の固定かれている側からのみ電気的な配線を行なうことを特徴とする画像形成装置の定着装置。
【請求項５】
請求項１〜４の定着装置において、
前記加熱装置が電磁誘導加熱装置であることを特徴とする画像形成装置の定着装置。
【発明の詳細な説明】
【０００１】
【発明の属する技術分野】
コピー、プリンター、ファックス等の画像形成装置。
【０００２】
【従来の技術】
従来、コピー、プリンター、ファックス等の画像形成装置で用紙上の未定着トナーを用紙に定着させる装置としては、ハロゲンヒータを内臓した定着ローラと加圧ローラとを圧接させ前記ローラ対で前記用紙に熱と圧を加えること方法が一般的であった。
【０００３】
【特許文献１】
特開平０８−０４４２３６号
【０００４】
【発明が解決しようとする課題】
しかし、ハロゲンヒータを使用した定着装置は、図４に示すように、１の定着ローラと２の加圧ローラでローラ対が構成されており、前記定着ローラ１の内部に５２のハロゲンヒータが配置され、前記定着ローラ１は４、５の前後側板に回転可能に保持され前記ハロゲンヒータ５２は５１のヒータ保持部材等で前記４、５の前後側板に固定されている。
【０００５】
そのために、前記定着ローラ１を交換する場合は前記ヒータ保持部材５１から、片方もしくは両方とも前記５２のハロゲンヒータを外し、前期５２のハロゲンヒータの束線５３を５４のコネクタから外して前記定着ローラ１から抜き取り前記定着ローラ１を前記前後側板４、５に回転可能に保持かれている状況から解除して取外さなくてはならない。また取り付ける時は上記手順の逆を行なわなければいけない為に、メンテナンス等で時間がかかるという問題点があった。それに対して、特開平０８−０４４２３６には、定着ローラを定着ローラの軸方向でなく、直行方向から交換する方法があるが、この場合には、電気配線等の配置により、交換性は十分とはいえなかった。
【０００６】
【課題を解決するための手段】
そこで本発明では、ローラ内部に加熱装置を配した定着ローラと前記定着ローラに対向する加圧ローラのローラ対を有する、もしくは前記加熱装置に前記定着ローラを回転可能に保持できるように強度をもたせ、前記前後側板の一方に固定させ、他方を支持部材を介して前記前後側板の他方に固定させ、前記固定方向からのみ前記加圧装置に電気的配線を行なうことにより、前記支持部材を取外すことにより、前記定着ローラを前記加圧装置に沿って着脱可能となりメンテナンス等の時間が大幅に短縮することが可能な画像形成装置における定着装置を提供可能となった。
【０００７】
【発明の実施の形態】
図１を参照して、本発明の実施の形態に係る画像形成装置について説明する。
図１は本発明の実施の形態に係る画像形成装置の模式的断面図である。
【０００８】
図１において、１００は原稿１０１を載せる原稿台ガラスであり、１０２は原稿１０１の画像情報を読み取るリーダーユニットである。
【０００９】
また、１０３は、像担持体としてのドラム１０４表面上の所定位置に、原稿１０１の画像情報、あるいはその他の画像情報を有する光を照射する光学ユニットである。
【００１０】
この光学ユニット１０３は、リーダーユニット１０２によって得られた画像情報、あるいはその他の画像情報を、不図示の画像処理装置を介して処理、制御された電気信号により明滅するレーザー光源を備えており、また、このレーザー光源からドラム１０４までレーザー光を導く光路上には、複数の光学部品、すなわち、レーザー光を反射するための複数のミラーや、光学的に拡大や補正を行うための複数の光学部材（各種レンズ等）などが備えられている。
【００１１】
また、ドラム１０４の周辺には、ドラム上の静電潜像を可視化するためにトナーをドラム１０４に供給するための現像器１０５や、トナー像を用紙Ｐに転写して用紙Ｐがドラム１０４に静電吸着しているのを剥がすための分離部を有する転写・分離帯装置１０６、ドラム１０４上における用紙Ｐに転写されずに残ったトナーを除去するためのクリーニング装置１０７、ドラム１０４上の残留潜像を消すための前露光装置１０８が配置されている。
【００１２】
また、ドラム１０４から、トナー像を転写した用紙Ｐを定着装置１１０に搬送するための搬送装置１０９が配置されている。
【００１３】
また、定着装置１１０から出てきた用紙Ｐを、機外の排紙トレー１１２に排紙ローラ１１３で排紙するか、両面・多重のコピーを取るときにドラム１０４に再度用紙Ｐを再給紙する再給紙装置１１４に搬送するかを制御するための、排紙反転装置１１１も設けられている。
【００１４】
更に、用紙Ｐを積載してストックしておくための給紙カセット１１５も設けられている。
【００１５】
次に、上記構成における画像形成装置の動作について順をおって説明する。
【００１６】
まず、不示図のコピースタートボタンをユーザーが押すと、給紙カセット１１５から給紙装置１１６より、給紙カセット１１５に積載されている用紙Ｐが一枚ずつ縦パス搬送部１１７に搬送され、１１８のレジストローラまで送られる。
【００１７】
次に、リーダーユニット１０２によって、原稿１０１の画像情報を電気信号に変換すべくスキャンを開始し、不図示の画像処理装置を介して光学ユニット１０３によりドラム１０４の表面に原稿画像の情報を有する光が照射され、その画像が記録される。なお、外部装置から入力された画像情報に基づいてこの動作を行うことも可能である。
【００１８】
また、この動作と同期するように、レジストローラ１１８が用紙Ｐの搬送を開始する。
【００１９】
この時、ドラム１０４上に記録された原稿１０１の画像情報である静電潜像は、現像器１０５によりトナー像とされ、このトナー像を転写・分離装置１０６により用紙Ｐに転写して、搬送装置１０９によって搬送し、定着装置１１０によりトナー像を用紙Ｐに定着したあと、用紙Ｐは片面のコピーなら排紙反転装置１１１により排紙ローラ１１３へと搬送され、排紙トレー１１２へと機外に排出される。
【００２０】
また、両面または多重コピーの場合には、定着装置１１０によってトナー像が定着された用紙Ｐは、排紙反転装置１１１により再給紙装置１１４により、再度ドラム１０４に搬送され、再びトナー像が転写され、順次、搬送装置１０９，定着装置１１０、排紙反転装置１１１、排紙ローラ１１３をへて、排紙トレー１１２上に機外排出される。
【００２１】
次に図２、３を用いて、本実施形の定着装置について詳しく説明していく。
図２は、前記定着装置１１０の構成を示す斜視図で、１は定着ローラ、２は加圧ローラであり、前記定着ローラの内部には３の加熱装置が配置されている。
【００２２】
図３は、前記定着装置１１０の前記定着ローラ１関係の構成を説明する為の断面図で、前記定着ローラ１は一端部は  ５の後側板に固定された７の加熱装置フォルダーＲに回転可能に固定された８のベアリングの外周に設けられた９の加熱装置ガイド部材に勘合固定されている。この時、前記加熱装置３は前記加熱装置フォルダーＲ７に一体的に固定されている。
【００２３】
また、前記定着ローラ１の他端部は、前記加熱装置の前記加熱装置フォルダーＲ７とは反対側の端部が、１１の加熱装置フォルダーＦに回転可能に固定された８のベアリングの外周に設けられた９の加熱装置ガイド部材に勘合固定されている。
【００２４】
この時、前記加熱装置フォルダーＦ１１は、６の支持部材に固定されており、前記支持部材６は４の前側板に固定される構成となっており、前記定着ローラ１の端部には駆動力を伝達する為の１０のギアが、前記定着ローラ１と一体的に配置されており、不示図の駆動装置から駆動を伝達され前記定着ローラ１が回転する構成となっている。
【００２５】
また、前記前側板４は図２に示すように４−ａの開口部を有しており、前記定着ローラ１は、前記支持部材６と加熱装置フォルダーＦ１１を一体的に、前記前側板４から取り外し、前記定着ローラ１を前記開口部４−ａから、前記加熱装置３の凸形状に沿うようにして、矢印Ａ、Ｂ方向に移動させることが可能となり、着脱可能となっている。
【００２６】
上記実施形において、加熱装置１と加熱装置フォルダーＲ７を一体で構成することも可能である。
【００２７】
【発明の効果】
以上説明してきたように本発明では、ローラ内部に加熱装置を有した定着ローラと前記定着ローラに対向する加圧ローラのローラ対と前記定着ローラを回転可能に保持する前後側板を有する、もしくは前記加熱装置に前記定着ローラを回転可能に保持できるように強度をもたせた構成として、前記加熱装置を前記前後側板の一方に固定する。
【００２８】
他方を支持部材を介して前記前後側板の他方に固定する構成とし、前記固定方向からのみ前記加圧装置に電気的配線を行なうことにより、
前記支持部材を取外すことにより、前記定着ローラを前記加圧装置に沿って着脱可能となりメンテナンス等の時間が大幅に短縮することが可能な画像形成装置における定着装置を提供可能となった。
【図面の簡単な説明】
【図１】本発明の画像形成装置の断面図
【図２】本発明の定着装置構成を説明するための斜視図
【図３】本発明の定着装置構成を説明するための断面図
【図４】従来の定着装置構成を説明するための斜視図
【符号の説明】
１  定着ローラ
２  加圧ローラ
３  加熱装置
４  前側板
４−ａ  開口部
５  後側板
６  支持部材
７  加熱装置フォルダーＲ
９  加熱装置ガイド部材
１０  駆動ギア
１１  加熱装置フォルダーＦ
５１  ハロゲンヒータ支持部材
５２  ハロゲンヒータ
５３  ハロゲンヒータ束線
５４  コネクタ
【図１】
2005055504.tif 000003
【図２】
2005055504.tif 000004
【図３】
2005055504.tif 000005
【図４】
2005055504.tif 000006